(57)【特許請求の範囲】
【請求項１】
所定のキ−と該キ−に関するアイコンとを含むデ−タを登録して蓄積するデ−タ−ベ−スと、該デ−タ−ベ−スに連係するデ−タ−ベ−スサ−バ−と、該デ−タ−ベ−スサ−バ−にネットワ−クを介して連係するユ−ザ−の端末装置とを備え、該端末装置に１または複数の検索条件を入力し、かつこれらに優先順位を付して検索条件を設定し、この設定した検索条件に基いてデ−タ−ベ−スに蓄積されたデ−タを検索するデ−タ検索方法において、前記デ−タ−ベ−スにネットワ−クを介して管理者の端末装置を連係し、該端末装置を介して被検索対象に関するデ−タを前記デ−タ−ベ−スに登録後、ユ−ザ−の端末装置に前記デ−タ−ベ−スの登録デ−タのジャンルを指定して検索条件を入力し、該検索条件を満たすジャンル固有の登録デ−タと、前記登録デ−タに共通する共用デ−タをユ−ザ−の端末装置の検索画面に出力し、かつ前記共用デ−タの１または複数を選択して詳細な複数の共用デ−タを前記検索画面に出力し、前記出力されたジャンル固有の登録デ−タと、詳細な共用デ−タの１または複数を選択し、かつこれらに優先順位を付して検索条件を設定し、この設定した検索条件に基いてデ−タ−ベ−スから所定のデ−タを検索することを特徴とするデ−タ検索方法。
【請求項２】
前記ユ−ザ−または管理者の端末装置は、パソコンまたは携帯電話等のモバイル端末機器である請求項１記載のデ−タ検索方法。
【請求項３】
前記検索条件の入力が、アイコンまたはチェックマ−ク若しくはキ−である請求項１記載のデ−タ検索方法。
【請求項４】
前記ユ−ザ−の端末装置に、キ−ワ−ドを入力して前記登録アイコンを補完するサブアイコンを作成し、該サブアイコンを他の登録アイコンと共に入力して検索条件を設定する請求項１記載のデ−タ検索方法。
【請求項５】
前記サブアイコンの使用頻度をデ−タ−ベ−スサ−バ−に記憶させ、検索時に使用頻度の高いサブアイコンをユ−ザ−の端末装置に転送する請求項１記載のデ−タ検索方法。
【請求項６】
前記ジャンルは概念的な大ジャンルと、その詳細な小ジャンルとからなり、大ジャンルの選択後に小ジャンルを選択して検索する請求項１記載のデ−タ検索方法。
【請求項７】
前記検索条件は、第１および第２順位の優先条件と、検索除外条件とからなる請求項１記載のデ−タ検索方法。
【請求項８】
前記検索は、検索エリアに関する登録デ−タから、選択した小ジャンルと、検索設定条件の何れか一つを満たすデ−タを全て抽出する工程を有する請求項１記載のデ−タ検索方法。
【請求項９】
前記検索は、前記デ−タの抽出後、抽出デ−タから前記検索設定条件の検索除外部のデ−タを除外し、検索対象を抽出する工程を有する請求項８記載のデ−タ検索方法。
【請求項１０】
前記検索は、前記検索対象から、前記第１順位の優先条件の全てを満たす検索候補を抽出する工程を有する請求項９記載のデ−タ検索方法。
【請求項１１】
前記検索は、前記検索候補が零件の場合、前記第１順位の優先条件の下位から一つずつ順次削除し、または検索該当件数の少ない項目から順次削除して再度検索し、検索候補を抽出する工程を有する請求項８または請求項１０記載のデ−タ検索方法。
【請求項１２】
前記第１順位の優先条件の全ての条件について再度検索し、検索候補が零件の場合は、該当件数零件の検索結果を出力する請求項１１記載のデ−タ検索方法。
【請求項１３】
前記検索候補から、前記第２順位の優先条件を満たす検索結果を抽出する工程を有する請求項１０または請求項１２記載のデ−タ検索方法。
【請求項１４】
前記第２順位の優先条件を満たす合致件数の多い順に、当該検索結果を優先してユ−ザ−の端末装置に表示する請求項１３記載のデ−タ検索方法。
【請求項１５】
ユ−ザ−の端末装置に、検索条件と当該検索結果の該当件数、該当した検索対象デ−タの書誌的事項と、詳細な共用デ−タに関するアイコンまたはジャンル固有の登録デ−タに関するアイコン、若しくは前記サブアイコンまたは写真を表示する請求項１３記載のデ−タ検索方法。
【請求項１６】
前記ジャンル固有の登録デ−タに関するアイコンと、詳細な共用デ−タに関するアイコンと、サブアイコンとを同形かつ互いに異色に着色する請求項１記載のデ−タ検索方法。
【請求項１７】
前記共用デ−タに関するアイコンと、前記ジャンル固有の登録デ−タに関するアイコンと、詳細な共用デ−タに関するアイコンと、サブアイコンとを互いに異色に着色する請求項１記載のデ−タ検索方法。
【請求項１８】
被検索対象に関するデ−タ登録時、テキストの所望位置に検索対象として強調タグを付してデ−タ−ベ−スに入力する請求項１記載のデ−タ検索方法。
【請求項１９】
前記検索条件を満たすジャンル固有ワ−ドと、前記登録デ−タに共通する共用ワ−ドと、前記詳細な複数の共用ワ−ドとを、管理者のモバイル端末機器の検索画面に表示するとともに、前記各ワ−ドにチェック・ボックスを表示し、該チェックボックスを選択して被検索対象に関するデ−タをデ−タ−ベ−スに登録する請求項２記載のデ−タ検索方法。
【請求項２０】
被検索対象に関するデ−タをデ−タ−ベ−スに登録後、ユ−ザ−のモバイル端末機器の検索画面に、前記共用ワ−ドと、該共用ワ−ドを選択して表示される詳細な複数の共用ワ−ドと、ジャンル固有ワ−ドを表示するとともに、前記各ワ−ドに対し第１および第２順位の優先条件のチェック・ボックスと、検索除外条件のチェック・ボックスとを配置し、該チェックボックスの１または複数を選択し、かつこれらに優先順位を付して検索条件を設定し、この設定した検索条件を基にデ−タ−ベ−スから所定のデ−タを検索する請求項１９記載のデ−タ検索方法。
【請求項２１】
前記管理者およびユ−ザ−のモバイル端末機器の検索画面に、前記登録ワ−ドを補完するフリ−ワ−ドを作成し、該フリ−ワ−ドを介して、被検索対象に関するデ−タを登録し、または検索条件を設定する請求項１９または請求項２０記載のデ−タ検索方法。
【発明の詳細な説明】
【技術分野】
【０００１】
本発明は、例えば各種店舗やサ−ビス、求人情報、土地、家屋等の売買または賃貸情報、書籍、商品等の検索に好適で、インタ−ネットやイントラネット（ｉｎｔｒａｎｅｔ）等のネットワ−クと、パソコンまたは携帯電話、ＰＨＳ等のモバイル端末機器を用いて、種々の検索対象に対し検索内容と検索条件を優先順位を付けて木目細かに設定し、所期の検索結果を正確かつ迅速に得られるとともに、検索の信頼性を得られるデ−タ検索方法に関する。
【背景技術】
【０００２】
デ−タベ−スからデ−タを検索する方法として、複数のキ−ワ−ドをデイスプレイのウィンドに入力し、かつそれらに検索条件を設定して、検索する方法がある。
この方法は簡便に検索できる反面、キ−ワ−ドが年齢や男女差、分野毎に多義的であるため、本来求めていない情報が多数混在して、所期の情報を得るのが困難で、検索の適否や検索結果の当否を判断し難く、検索の信頼性を得られないばかりか、的確なキ−ワ−ドを選択して入力することが難しく、またデ−タベ−スに登録されたキ−ワ−ドとの整合性とも関係して、結果的に検索漏れを生ずる等の問題があった。
【０００３】
そこで、キ−ワ−ドの代わりに、各ユ−ザ−が比較的統一した概念を共有し易く、かつ認識にずれの少ない絵記号や絵文字を駆使したアイコンを用い、このアイコンをドラッグアンドドロップ操作して所定のウィンドに配置し、その検索条件を設定して検索する方法が提案されている（例えば、特許文献１および２参照）。
【０００４】
このうち、特許文献１の検索方法は、ウィンド内に複数のアイコンを配置し、それらのアイコンの一部を重ね合わせることによって、論理積条件（ＡＮＤ条件）を設定し、またアイコンを離間させて配置することによって、論理和条件（ＯＲ条件）を設定し、更に対応するアイコンに×を重ねることによって、否定条件（ＮＯＴ条件）を設定するようにしている。
その際、アイコンの外側に設けた円形のコントロ−ルポイントを、マウスポインタで動かすことによってアイコンのサイズを変更し、アイコンのサイズを大きくすることによって、優先順位を大きく設定し、所望の条件で検索および再検索し得るようにしている。
【０００５】
しかし、この検索方法は、検索条件設定にいちいちマウス操作を要して面倒で煩わしく、またアイコンデ−タに登録したアイコンの数および種類には限界があり、特に新商品、新店舗、新サ−ビス等については、既存のアイコンまたは図形を利用した作図に限界があり、新商品や新店舗等のアイコンによる検索に対応できないという問題があった。
【０００６】
また、特許文献２の検索方法は、操作画面の上部に二つのフレ−ムを上下に配置し、上側のフレ−ムにマトリックス状に記載した一階のゾ−ニングの複数の形態のアイコンを配置し、下側のフレ−ムに各部屋を立体的に記載した複数の部屋アイテムのアイコンを配置し、更に下側フレ−ムの直下に重要度を設定するプライオリティフレ−ムと、選択した前記一つのゾ−ニングを表示する領域を設けている。
前記システムによって希望する間取りを検索する場合は、一階のゾ−ニングの一つのアイコンを選択し、これを拡大したマトリックスを前記領域に配置し、その各領域に部屋アイテムのアイコンをドラッグアンドドロップ操作して配置し、この部屋アイテムのアイコン上に、プライオリティフレ−ムの「重要」、「普通」、「できれば」のアイコンの一つを選択してドラッグアンドドロップし、前記プライオリティを設定後に検索を開始するようにしていた。
【０００７】
しかし、この検索方法は、検索条件設定にいちいちマウス操作を要して面倒で煩わしく、また一階のゾ−ニングの形態や部屋アイテムのアイコンは、過去の間取りを基に作図したもので、その形態に限界があり、新建築の新たな間取りや部屋アイテムについては、既存のアイコンまたは図形を利用した作成に限界があり、新規な間取りのアイコンによる検索に対応できないという問題があった。
【先行技術文献】
【特許文献】
【０００８】
【特許文献１】特開平１０−２８９２５１号公報
【特許文献２】特開２００８−１２３２４０号公報
【発明の概要】
【発明が解決しようとする課題】
【０００９】
本発明はこのような問題を解決し、例えば各種店舗やサ−ビス、求人情報、土地、家屋等の売買または賃貸情報、書籍、商品等の検索に好適で、インタ−ネットやイントラネット（ｉｎｔｒａｎｅｔ）等のネットワ−クと、パソコンまたは携帯電話、ＰＨＳ等のモバイル端末機器を用いて、種々の検索対象に対し検索内容と検索条件を優先順位を付けて木目細かに設定し、所期の検索結果を正確かつ迅速に得られるとともに、検索の信頼性を得られるデ−タ検索方法を提供することを目的とする。
【課題を解決するための手段】
【００１０】
請求項１の発明は、所定のキ−と該キ−に関するアイコンとを含むデ−タを登録して蓄積するデ−タ−ベ−スと、該デ−タ−ベ−スに連係するデ−タ−ベ−スサ−バ−と、該デ−タ−ベ−スサ−バ−にネットワ−クを介して連係するユ−ザ−の端末装置とを備え、該端末装置に１または複数の検索条件を入力し、かつこれらに優先順位を付して検索条件を設定し、この設定した検索条件に基いてデ−タ−ベ−スに蓄積されたデ−タを検索するデ−タ検索方法において、前記デ−タ−ベ−スにネットワ−クを介して管理者の端末装置を連係し、該端末装置を介して被検索対象に関するデ−タを前記デ−タ−ベ−スに登録後、ユ−ザ−の端末装置に前記デ−タ−ベ−スの登録デ−タのジャンルを指定して検索条件を入力し、該検索条件を満たすジャンル固有の登録デ−タと、前記登録デ−タに共通する共用デ−タをユ−ザ−の端末装置の検索画面に出力し、かつ前記共用デ−タの１または複数を選択して詳細な複数の共用デ−タを前記検索画面に出力し、前記出力されたジャンル固有の登録デ−タと、詳細な共用デ−タの１または複数を選択し、かつこれらに優先順位を付して検索条件を設定し、この設定した検索条件に基いてデ−タ−ベ−スから所定のデ−タを検索し、インタ−ネット等のネットワ−クと、これに連係するパソコン等の端末装置を用いて、被検索対象に関するデ−タをデ−タベ−スに登録し、登録後はユ−ザ−によるデ−タの利用を促す一方、ユ−ザ−はパソコン等の端末装置を用いて、登録デ−タのジャンルを指定し、またジャンル固有の登録デ−タと、登録デ−タに共通する詳細な共用デ−タとを複数選択し、かつこれらに優先順位を付して検索条件を木目細かに設定し、所期の検索結果を正確かつ迅速に得られ、検索の信頼性を得られるようにしている。
【００１１】
請求項２の発明は、前記ユ−ザ−または管理者の端末装置に、パソコンや携帯電話等のモバイル端末機器を用い、種々の端末装置によって多様な検索方法に応じられるようにしている。
請求項３の発明は、前記検索条件の入力が、アイコンまたはチェックマ−ク若しくはキ−であり、パソコンや携帯電話等のモバイル端末機器の利用に応じられるようにしている
請求項４の発明は、前記ユ−ザ−の端末装置にキ−ワ−ドを入力して、登録アイコンを補完するサブアイコンを作成し、該サブアイコンを他の登録アイコンと共に入力して検索条件を設定し、サブアイコンを簡便に作成し、アイコンを充実させることによって、正確かつ精密な検索結果を得られるようにしている。
請求項５の発明は、前記サブアイコンの使用頻度をデ−タ−ベ−スサ−バ−に記憶させ、検索時に使用頻度の高いサブアイコンをユ−ザ−の端末装置に転送し、特定のサブアイコンの作成の面倒を解消し、容易かつ速やかに検索し得るようにしている。
【００１２】
請求項６の発明は、前記ジャンルは概念的な大ジャンルと、その詳細な小ジャンルとからなり、大ジャンルの選択後に小ジャンルを選択して検索し、精密かつ木目細かな検索結果を得られるようにしている。
請求項７の発明は、前記検索条件は、第１および第２順位の優先条件と、検索除外条件とからなり、例えば第１優先順位の条件を「絶対条件」とし、第２優先順位の条件を「できれば希望」とし、検索除外条件を「これは避ける」として、所期の検索結果を合理的かつ確実に得られるようにしている。
その際、検索条件の設定は、例えば各種のアイコンの１または複数を選択してドラッグアンドドロップし、選択ボックスの所定スペ−スに入力するだけで良く、従来のように入力したアイコンの位置や大きさをマウス操作で調整する煩雑な操作を解消し、複雑な条件設定に応じられ、正確かつ容易に検索し得るようにしている。
しかも、入力ボックスに複数のアイコンを緊密に入力して増加し得るから、アイコンを離間して配置したり、大きさを変えて配置する従来の検索条件の設定法に比べ、検索結果の信頼性と精度を向上し得るようにしている。
【００１３】
請求項８の発明は、前記検索は、検索エリアに関する登録デ−タから、選択した小ジャンルと、検索設定条件の何れか一つを満たすデ−タを全て抽出する工程を有し、検索エリアと小ジャンルに関係する基礎的なデ−タを多量に収集し、検索結果の信頼性と精度を向上するようにしている。
請求項９の発明は、前記検索は、前記デ−タの抽出後、抽出デ−タから前記検索設定条件の検索除外部のデ−タを除外し、検索対象を抽出する工程を有し、検索結果になり得る検索対象を前記抽出デ−タから容易に選択し得るようにしている。
請求項１０の発明は、前記検索は、前記検索対象から、前記第１順位の優先条件の全てを満たす検索候補を抽出する工程を有し、所期の検索結果を確実に得られるようにしている。
【００１４】
請求項１１の発明は、前記検索は、前記検索候補が零件の場合、前記第１順位の優先条件の下位から一つずつ順次削除し、または検索該当件数の少ない項目から順次削除して再度検索し、検索候補を抽出する工程を有し、当初の検索条件に近い条件で略満足できる検索結果を得られるようにしている。
請求項１２の発明は、前記第１順位の優先条件の全ての条件について再度検索し、検索候補が零件の場合は、該当件数零件の検索結果を出力し、検索結果の信頼性を得られるようにしている。
請求項１３の発明は、前記検索候補から、前記第２順位の優先条件を満たす検索結果を抽出する工程を有し、検索結果に多くの該当件数を得られた場合、合理的かつ客観的な方法で検索結果に優先順位を付けるようにしている。
【００１５】
請求項１４の発明は、前記第２順位の優先条件を満たす合致件数の多い順に、当該検索結果を優先してユ−ザ−の端末装置に表示し、合理的な方法で検索結果に優先順位を付け、かつその優先順位に信頼性を得られるようにしている。
請求項１５の発明は、ユ−ザ−の端末装置に、検索条件と当該検索結果の該当件数、該当した検索対象デ−タの書誌的事項と、詳細な共用デ−タに関するアイコンまたはジャンル固有の登録デ−タに関するアイコン、若しくは前記サブアイコンまたは写真を表示し、必要最小限の情報をコンパクトに表示するようにしている。
【００１６】
請求項１６の発明は、前記ジャンル固有の登録デ−タに関するアイコンと、詳細な共用デ−タに関するアイコンと、サブアイコンとを同形かつ互いに異色に着色し、外形によって検索条件設定用のアイコンを視認でき、しかもそれらを色分けして、アイコンの選択および検索条件設定時の誤りを未然に防止するようにしている。
請求項１７の発明は、前記共用デ−タに関するアイコンと、前記ジャンル固有の登録デ−タに関するアイコンと、詳細な共用デ−タに関するアイコンと、サブアイコンとを互いに異色に着色し、各種アイコンの選択および検索条件設定時の誤りを未然に防止するようにしている。
【００１７】
請求項１８の発明は、被検索対象に関するデ−タ登録時、テキストの所望位置に検索対象として強調タグを付してデ−タ−ベ−スに入力し、強調タグの指定部のみを検索対象として非強調指定部と区別し、意に反するデ−タ−入力と検索結果を未然に防止するようにしている。
請求項１９の発明は、前記検索条件を満たすジャンル固有ワ−ドと、前記登録デ−タに共通する共用ワ−ドと、前記詳細な複数の共用ワ−ドとを、管理者のモバイル端末機器の検索画面に表示するとともに、前記各ワ−ドにチェックボックスを表示し、該チェックボックスを選択して被検索対象に関するデ−タをデ−タ−ベ−スに登録し、モバイル端末機器を使用して被検索対象に関するデ−タを簡便に登録し得るようにしている。
【００１８】
請求項２０の発明は、被検索対象に関するデ−タをデ−タ−ベ−スに登録後、ユ−ザ−のモバイル端末機器の検索画面に、前記共用ワ−ドと、該共用ワ−ドを選択して表示される詳細な複数の共用ワ−ドと、ジャンル固有ワ−ドを表示するとともに、前記各ワ−ドに対し第１および第２順位の優先条件のチェック・ボックスと、検索除外条件のチェック・ボックスとを配置し、該チェックボックスの１または複数を選択し、かつこれらに優先順位を付して検索条件を設定し、この設定した検索条件を基にデ−タ−ベ−スから所定のデ−タを検索し、モバイル端末機器を使用して検索条件を木目細かに設定し、所期の検索結果を正確かつ迅速に得られ、検索の信頼性を得られるようにしている。
【００１９】
請求項２１の発明は、前記管理者およびユ−ザ−のモバイル端末機器の検索画面に、前記登録ワ−ドを補完するフリ−ワ−ドを作成し、該フリ−ワ−ドを介して、被検索対象に関するデ−タを登録し、または検索条件を設定し、フリ−ワ−ドによってキ−ワ−ドを充実させ、正確かつ精密な検索結果を得られるようにしている。
【発明の効果】
【００２０】
請求項１の発明は、デ−タ−ベ−スにネットワ−クを介して管理者の端末装置を連係し、該端末装置を介して被検索対象に関するデ−タを前記デ−タ−ベ−スに登録後、ユ−ザ−の端末装置に前記デ−タ−ベ−スの登録デ−タのジャンルを指定して検索条件を入力し、該検索条件を満たすジャンル固有の登録デ−タと、前記登録デ−タに共通する共用デ−タをユ−ザ−の端末装置の検索画面に出力し、かつ前記共用デ−タの１または複数を選択して詳細な複数の共用デ−タを前記検索画面に出力し、前記出力されたジャンル固有の登録デ−タと、詳細な共用デ−タの１または複数を選択し、かつこれらに優先順位を付して検索条件を設定し、この設定した検索条件に基いてデ−タ−ベ−スから所定のデ−タを検索するから、インタ−ネット等のネットワ−クと、これに連係するパソコン等の端末装置を用いて、被検索対象に関するデ−タをデ−タベ−スに登録し、登録後はユ−ザ−によるデ−タの利用を促す一方、ユ−ザ−はパソコン等の端末装置を用いて、登録デ−タのジャンルを指定し、またジャンル固有の登録デ−タと、登録デ−タに共通する詳細な共用デ−タとを複数選択し、かつこれらに優先順位を付して検索条件を木目細かに設定し、所期の検索結果を正確かつ迅速に得られ、検索の信頼性を得られる効果がある。
【００２１】
請求項２の発明は、前記ユ−ザ−または管理者の端末装置に、パソコンや携帯電話等のモバイル端末機器を用いるから、種々の端末装置によって多様な検索方法に応じることができる。
請求項３の発明は、前記検索条件の入力が、アイコンまたはチェックマ−ク若しくはキ−であるから、パソコンや携帯電話等のモバイル端末機器の利用に応じられる効果がある
請求項４の発明は、前記ユ−ザ−の端末装置にキ−ワ−ドを入力して、登録アイコンを補完するサブアイコンを作成し、該サブアイコンを他の登録アイコンと共に入力して検索条件を設定するから、サブアイコンを簡便に作成し、アイコンを充実させることによって、正確かつ精密な検索結果を得ることができる。
請求項５の発明は、前記サブアイコンの使用頻度をデ−タ−ベ−スサ−バ−に記憶させ、検索時に使用頻度の高いサブアイコンをユ−ザ−の端末装置に転送するから、特定のサブアイコンの作成の面倒を解消し、容易かつ速やかに検索することができる。
【００２２】
請求項６の発明は、前記ジャンルは概念的な大ジャンルと、その詳細な小ジャンルとからなり、大ジャンルの選択後に小ジャンルを選択して検索するから、精密かつ木目細かな検索結果を得られる効果がある。
請求項７の発明は、前記検索条件は、第１および第２順位の優先条件と、検索除外条件とからなるから、例えば第１優先順位の条件を「絶対条件」とし、第２優先順位の条件を「できれば希望」とし、検索除外条件を「これは避ける」として、所期の検索結果を合理的かつ確実に得ることができる。
その際、検索条件の設定は、例えば各種のアイコンの１または複数を選択してドラッグアンドドロップし、選択ボックスの所定スペ−スに入力するだけで良く、従来のように入力したアイコンの位置や大きさをマウス操作で調整する、煩雑な操作を解消することができるとともに、複雑な条件設定に応じられ、正確かつ容易に検索することができる。
しかも、入力ボックスに複数のアイコンを緊密に入力して増加し得るから、アイコンを離間して配置したり、大きさを変えて配置する従来の検索条件の設定法に比べ、検索結果の信頼性と精度を向上することができる。
【００２３】
請求項８の発明は、前記検索は、検索エリアに関する登録デ−タから、選択した小ジャンルと、検索設定条件の何れか一つを満たすデ−タを全て抽出する工程を有するから、検索エリアと小ジャンルに関係する基礎的なデ−タを多量に収集し、検索結果の信頼性と精度を向上することができる。
請求項９の発明は、前記検索は、前記デ−タの抽出後、抽出デ−タから前記検索設定条件の検索除外部のデ−タを除外し、検索対象を抽出する工程を有するから、検索結果になり得る検索対象を前記抽出デ−タから容易に選択することができる。
請求項１０の発明は、前記検索は、前記検索対象から、前記第１順位の優先条件の全てを満たす検索候補を抽出する工程を有するから、所期の検索結果を確実に得られる効果がある。
【００２４】
請求項１１の発明は、前記検索は、前記検索候補が零件の場合、前記第１順位の優先条件の下位から一つずつ順次削除し、または検索該当件数の少ない項目から順次削除して再度検索し、検索候補を抽出する工程を有するから、当初の検索条件に近い条件で略満足できる検索結果を得ることができる。
請求項１２の発明は、前記第１順位の優先条件の全ての条件について再度検索し、検索候補が零件の場合は、該当件数零件の検索結果を出力するから、検索結果の信頼性を得られる効果がある。
請求項１３の発明は、前記検索候補から、前記第２順位の優先条件を満たす検索結果を抽出する工程を有するから、検索結果に多くの該当件数を得られた場合、合理的かつ客観的な方法で検索結果に優先順位を付けることができる。
【００２５】
請求項１４の発明は、前記第２順位の優先条件を満たす合致件数の多い順に、当該検索結果を優先してユ−ザ−の端末装置に表示するから、合理的な方法で検索結果に優先順位を付けられ、その優先順位に信頼性を得られる効果がある。
請求項１５の発明は、ユ−ザ−の端末装置に、検索条件と当該検索結果の該当件数、該当した検索対象デ−タの書誌的事項と、詳細な共用デ−タに関するアイコンまたはジャンル固有の登録デ−タに関するアイコン、若しくは前記サブアイコンまたは写真を表示するから、必要最小限の情報をコンパクトに表示することができる。
【００２６】
請求項１６の発明は、前記ジャンル固有の登録デ−タに関するアイコンと、詳細な共用デ−タに関するアイコンと、サブアイコンとを同形かつ互いに異色に着色するから、外形によって検索条件設定用のアイコンを視認でき、しかもそれらを色分けして、アイコンの選択および検索条件設定時の誤りを未然に防止することができる。
請求項１７の発明は、前記共用デ−タに関するアイコンと、前記ジャンル固有の登録デ−タに関するアイコンと、詳細な共用デ−タに関するアイコンと、サブアイコンとを互いに異色に着色するから、各種アイコンの選択および検索条件設定時の誤りを未然に防止することができる。
【００２７】
請求項１８の発明は、被検索対象に関するデ−タ登録時、テキストの所望位置に検索対象として強調タグを付してデ−タ−ベ−スに入力するから、強調タグの指定部のみを検索対象として非強調指定部と区別し、意に反するデ−タ−入力と検索結果を未然に防止することができる。
請求項１９の発明は、前記検索条件を満たすジャンル固有ワ−ドと、前記登録デ−タに共通する共用ワ−ドと、前記詳細な複数の共用ワ−ドとを、管理者のモバイル端末機器の検索画面に表示するとともに、前記各ワ−ドにチェックボックスを表示し、該チェックボックスを選択して被検索対象に関するデ−タをデ−タ−ベ−スに登録するから、モバイル端末機器を使用して被検索対象に関するデ−タを簡便に登録することができる。
【００２８】
請求項２０の発明は、被検索対象に関するデ−タをデ−タ−ベ−スに登録後、ユ−ザ−のモバイル端末機器の検索画面に、前記共用ワ−ドと、該共用ワ−ドを選択して表示される詳細な複数の共用ワ−ドと、ジャンル固有ワ−ドを表示するとともに、前記各ワ−ドに対し第１および第２順位の優先条件のチェック・ボックスと、検索除外条件のチェック・ボックスとを配置し、該チェックボックスの１または複数を選択し、かつこれらに優先順位を付して検索条件を設定し、この設定した検索条件を基にデ−タ−ベ−スから所定のデ−タを検索するから、モバイル端末機器を使用して検索条件を木目細かに設定し、所期の検索結果を正確かつ迅速に得られ、検索の信頼性を得られる効果がある。
請求項２１の発明は、前記管理者およびユ−ザ−のモバイル端末機器の検索画面に、前記登録ワ−ドを補完するフリ−ワ−ドを作成し、該フリ−ワ−ドを介して、被検索対象に関するデ−タを登録し、または検索条件を設定し、フリ−ワ−ドによってキ−ワ−ドを充実させ、正確かつ精密な検索結果を得ることができる。
【図面の簡単な説明】
【００２９】
【図１】本発明の検索方法の一例を適用した検索システムの概要を示す説明図である
【図２】本発明の検索方法の検索フロ−を示す流れ図である。
【図３】本発明の検索方法を適用した検索システムの検索操作画面のトップペ−ジを示し、被検索対象である店舗・サ−ビスが所在する検索エリアのマップを表示している。
【図４】店舗・サ−ビスが所在する検索エリアを選択後の検索操作画面を示し、その上部に検索ジャンル（大）を表示している。
【図５】検索ジャンルの「飲食」中の「食事」を選択後の検索操作画面を示し、その操作画面の上部に小ジャンル表を示し、その下方に複数のコモンアイコンと選択ボックス、プロパ−アイコン、並びにサブアイコン作成欄を表示している。
【００３０】
【図６】前記検索ジャンルの「ショッピング」を選択後の検索操作画面を示し、その操作画面の上部に小ジャンル表を示し、その下方に複数のコモンアイコンと選択ボックス、プロパ−アイコン、並びにサブアイコン作成欄を表示している。
【図７】コモンアイコンと、このアイコンに属するキ−アイコンのデ−タ−を示し、同図（ａ）は「割引サ−ビス」とそのキ−アイコンのデ−タ−を示し、同図（ｂ）は「駐車場」とそのキ−アイコンのデ−タ−を示し、同図（ｃ）は「駅から」とそのキ−アイコンのデ−タ−を示し、同図（ｄ）は「たばこ」とそのキ−アイコンのデ−タ−を示し、同図（ｅ）は「支払い方法」とそのキ−アイコンのデ−タ−を示し、同図（ｆ）は「メディア」とそのキ−アイコンのデ−タ−を示している。
【００３１】
【図８】コモンアイコンと、このアイコンに属するキ−アイコンのデ−タ一を示し、同図（ａ）は「予約・営業時間」とそのキ−アイコンのデ−タを示し、同図（ｂ）は「施設・設備」とそのキ−アイコンのデ−タ−を示し、同図（ｃ）は「トイレ」とそのキ−アイコンのデ−タ−を示し、同図（ｄ）は「キッズ・ベビ−」とそのキ−アイコンのデ−タ−を示し、同図（ｅ）は「電子マネ−」とそのキ−アイコンのデ−タ−を示し、同図（ｆ）は「インタ−ネット」とそのキ−アイコンのデ−タ−を示している。
【図９】検索ジャンルの「飲食」を選択後、ノ−マルアイコンの「たばこ」を選択し、そのキ−アイコンを表示した検索操作画面を示し、操作画面の上部に小ジャンルの詳細なスモ−ルメニュ−と、複数のコモンアイコンとキ−アイコン、および選択ボックスとプロパ−アイコン、並びにサブアイコン作成欄を表示している。
【００３２】
【図１０】検索ジャンルの「飲食」を選択後、ノ−マルアイコンの「割引サ−ビス」を選択し、そのキ−アイコンを表示した検索操作画面を示し、操作画面の上部に小ジャンルの詳細なスモ−ルメニュ−と、複数のコモンアイコンとキ−アイコン、および選択ボックスとプロパ−アイコン、並びにサブアイコン作成欄を表示している。
【図１１】サブアイコン作成欄におけるサブアイコンの作成状況を示し、同図（ａ）はキ−ワ−ド入力用ウィンドにキ−ワ−ド（すきやき）を入力し、そのキ−ワ−ドをサブアイコンに入力して作成した状況を示し、同図（ｂ）はキ−ワ−ド入力用ウィンドにキ−ワ−ド（川越）を入力し、そのキ−ワ−ドをサブアイコンに入力して作成した状況を示している。
【図１２】埼玉県の「飲食・サ−ビス」で、小ジャンルに「ファミレス」を選択し、ノ−マルアイコンの「たばこ」を選択し、そのキ−アイコンを表示後、サブアイコン「川越駅」を作成して絶対条件の欄に最優先順位に入力し、また「完全禁煙」のアイコンを絶対条件の欄の次順位に、更に「駐車場無料」のアイコンを絶対条件の欄の次隣接順位に入力し、できれば希望の欄に「ク−ポン」のアイコンを入力し、これは避けるの欄に「有名人の店」を入力して、検索条件を設定した検索操作画面を示している。
【００３３】
【図１３】埼玉県の「飲食」で、小ジャンルに「レストラン」と「和食・日本料理」を選択し、ノ−マルアイコンの「たばこ」を選択し、そのキ−アイコンを表示後、サブアイコン「すき焼き」および「川越駅」を作成して絶対条件の欄に第１および第２順位に入力し、また「完全分煙」、「ク−ポン」、「タイムサ−ビス」、「駅から１０分以内」、「駐車場無料」の各アイコンを絶対条件の欄に前記順位に入力し、できれば希望の欄に「完全禁煙」、「ＣＭ放送中」、「雑誌掲載」、「子供無料」、「無線ＬＡＮ」、「クレジットカ−ド」、「除菌トイレ」の各アイコンを前記順位で入力し、これは避けるの欄に「立体駐車場」を入力して、検索条件を設定した検索操作画面を示している。
【図１４】デ−タ−ベ−スの店舗・サ−ビスのデ−タ−から、ユ−ザ−が選択した検索条件のうち、「これは避ける」を含まず、詳細ジャンル」、「絶対条件」、「できれば希望」のデ−タ−の１つでも含む、検索対象の抽出状況の詳細を示す説明図である。
【００３４】
【図１５】デ−タ−ベ−スの店舗・サ−ビスのデ−タ−から、ユ−ザ−が選択した検索条件から、「詳細ジャンル」と「絶対条件」の全てを論理積的に満たす、検索候補の抽出状況の詳細を示す説明図である。
【図１６】前記抽出した検索候補から、「できれば希望」に合致する数の検索状況の詳細を示す説明図である。
【図１７】図１２の検索条件による検索結果を表示した検索操作画面を示し、該画面に該当したファミレスＡと、ファミレスＢ、ファミレスＣの３件を優先順に表示している。
【図１８】図１３の検索条件による検索結果を表示した検索操作画面を示し、該画面に該当のレストランＡと、すき焼き店Ａ、レストランＢ、レストランＣ、日本料理店Ａの５件を優先順に表示している。
【００３５】
【図１９】管理者の掲載（登録）デ−タの登録手順を示す登録フロ−を示している。
【図２０】管理者の掲載（登録）デ−タの登録時におけるデ−タ登録画面で、その中間部に管理者のテキストが示され、その所定部に複数の強調タグが記されている。
【図２１】管理者の掲載（登録）デ−タの登録時におけるデ−タ登録画面で、その上部に小ジャンル表が記載され、その下方にコモンアイコンとそのキ−アイコンが示され、その下方に登録ボックスとプロパ−アイコンが表示されている。
【００３６】
【図２２】本発明にモバイル端末機器を使用した第２の実施形態の検索システムの概要を示す説明図である。
【図２３】前記第２の実施形態における検索手順を示す検索フロ−である。
【図２４】前記第２の実施形態のモバイル端末機器として使用した携帯電話による検索条件の設定状況を示し、そのディスプレイにコモンワ−ドとそのキ−ワ−ドとチェックボックスが表示され、その一部のチェックボックスにチェックマ−クが記されている。
【図２５】前記携帯電話による検索条件の設定状況を示し、そのディスプレイにプロパ−ワ−ドとチェックボックスが表示され、その一部のチェックボックスにチェックマ−クが記されている。
【図２６】前記第２の実施形態における被検索対象に関するデ−タの登録手順を示す登録フロ−である。
【発明を実施するための形態】
【００３７】
以下、本発明の一例をインタ−ネットとパソコンを駆使して店舗・サ−ビスを検索する図示の実施形態について説明すると、図１は本発明のデ−タ検索方法の概要を示し、同図において１は、本発明の検索方法を利用するユ−ザ−側のデ−タ−ベ−ス検索用の端末装置であるパ−ソナルコンピュ−タ（以下、パソコンと呼ぶ）、２は本発明の検索方法を管理し運営する管理者側のデ−タ−ベ−ス入力用の端末装置であるパソコンである。
この場合、前記パソコン２は、前記管理者側用の他に、本発明の別の利用者であり、被検索対象として掲載される側の店舗・サ−ビス等の提供者であるクライエント（顧客）のデ−タ−ベ−ス入力用のものを含ませることができる。
【００３８】
前記パソコン１,２はインタ−ネット、イントラネット（ｉｎｔｒａｎｅｔ）、パソコン通信、ＬＡＮ、ＷＡＮ等のネットワ−ク３、実施形態ではインタ−ネッを介して、検索を実行するデ−タ−ベ−スサ−バ−４に接続されている。図中、１ａ，２ａ，４ａは各パソコン１，２およびデ−タ−ベ−スサ−バ−４のキ−ボ−ドである。
【００３９】
前記ユ−ザ−側のパソコン１は、後述のデ−タ−ベ−スに登録されたコモンアイコンとプロパ−アイコン、キ−アイコンをユ−ザ−が選択し、また前記登録アイコンを補完してユ−ザ−が作成したサブアイコンを選択して、検索条件を設定し、該検索条件に対応する情報サ−ビスをデ−タ−ベ−スサ−バ−４に要求し、検索後、デ−タ−ベ−スサ−バ−４から提供された検索結果を検索出力画面６に表示可能にされている。
【００４０】
前記管理者側のパソコン２は、その入力画面７に店舗・サ−ビス等の掲載デ−タ−として、前述と同様の登録された各種アイコンを選択するとともに、紹介文や説明文等のテキストを文字入力し、その文字入力部の特定箇所を強調し、検索対象のフォ−カスのブレを防止して登録している。
前記掲載デ−タ−は適時デ−タ−ベ−スサ−バ−４へ入力可能にされ、最新のデ−タに更新可能にされている。
【００４１】
前記掲載デ−タ入力の詳細は後述するが、該デ−タは検索対象となる店舗・サ−ビスの所在地、電話番号、郵便番号、ファクシミリ番号、ｅメ−ルアドレス、ホ−ムペ−ジ等の基本デ−タと、店舗・サ−ビスの内容と特徴を紹介するテキストとからなっている。
【００４２】
このうち、前記基本デ−タは簡単な文字入力と、後述のデ−タ−ベ−スに登録された前述の各種アイコンの選択からなり、またテキスト８は基本的に管理者またはクライエントの文字入力で構成され、この文字入力部の所定位置に強調タグ９を付して検索対象に指定し、意に反する検索結果を防止するようにしている。
【００４３】
前記登録された各種のアイコンは、管理者が全ての検索ジャンルに亘って、使用頻度の高い検索用語、サ−ビスないしサ−ビス内容を調査し、この調査結果を基に高頻度のものを図形化して有意なアイコンを作成し、これをデ−タ−ベ−スに登録している。
【００４４】
前記アイコンのうち、コモンアイコンは被検索対象に共通する一般的な検索条件に関するアイコンであり、これは更に具体的かつ詳細な複数のキ−アイコンに分かれている。
また、プロパ−アイコンは、検索ジャンル固有の検索条件に関するアイコンで、多様かつ多数のアイコンが用意され、更にサブアイコンは定形の図形に検索文字を入力した簡素なアイコンで、これらの詳細は後述の通りである。
【００４５】
前記デ−タ−ベ−スサ−バ−４には、管理者から入力された前述の多数の情報が蓄積され、この蓄積情報を演算処理装置１０により演算処理して図２に示す検索フロ−を実行し、その検索結果を前記検索出力画面６へ出力可能にしている。
【００４６】
すなわち、デ−タ−ベ−スサ−バ−４は演算処理装置１０と記憶装置１１を備え、このうち演算処理装置１０は、ユ−ザ−および管理者側のパソコン１，２に連係する検索インタ−フェ−ス１２と、ユ−ザ−側の設定した条件を調整する検索条件設定手段１３と、検索結果に応じてアイコンを含む出力画像を調製して検索出力画面６を作成する画像出力生成手段１４と、前記出力された画像を検索出力画面６に出力する画面出力手段１５と、前記蓄積情報を各ジャンルに分類して蓄積し、これを所定の手順で検索する検索エンジン１６と、前記パソコン１，２の検索操作画面５と検索出力画面６の各ウィンドを制御するウィンド制御手段１７と、後述するデ−タ−ベ−スを監理するデ−タ−ベ−ス管理手段１８と、を備えている。
【００４７】
前記記憶装置１１はデ−タ−ベ−スサ−バ−４に内蔵され、或いは外付けしたハ−ドディスク等からなり、管理者から入力された掲載情報を各ジャンルおよび管理者毎に分類して記憶可能にされている。
【００４８】
すなわち、記憶装置１１は、管理者からアイコン若しくはそのチェックまたは文字、強調タグを付して入力された掲載情報を各ジャンルおよびクライエント毎に分類して蓄積するデ−タベ−ス１９と、ユ−ザ−側の検索条件に応じて蓄積情報を取捨選択して出力画面６に転送する出力用画面２０と、該出力用画面２０に含まれる出力画像（アイコン）の配列順を示す配列順デ−タ２１と、再検索する際表示する再検索画面２２と、該再検索画面２２中に列挙される検索順位を示す優先順位デ−タ２３と、が記憶されている。
この場合、検索履歴はユ−ザ−のパソコン１に記憶かつ保存可能にされ、その履歴の表示エリアを、図１２のチェックフレ−ム４２の直下に設けている。
【００４９】
一方、前記検索フロ−は演算処理装置１０によって実行され、該検索フロ−による検索システムの起動時は、パソコン１の検索操作画面５に図３に示すトップペ−ジが表示され、このトップペ−ジに検索エリアとして表示された日本地図（以下、マップと呼ぶ）の都道府県の一つを、検索条件としてユ−ザ−が選択して検索が開始される。
この場合、マップは図示の日本地図の代わりに、世界地図、または日本若しくは世界の一部の国若しくは地域を表示したものでも良い。
【００５０】
この実施形態において、前記都道府県２５を選択すると、当該都道府県２５の種々のジャンルに関するデ−タ−が、これを格納したデ−タ−ベ−ス１９からデ−タ−ベ−スサ−バ−４へ自動転送される。
【００５１】
図中、２６はトップペ−ジの中欄に設けた選択ボタンで、該ボタン２６を選択することによって、非店舗販売の通信販売やインタ−ネット販売のサイトに接続可能にされている
前記選択ボタン２６は、例えば後述する検索システムによって所望の検索結果を得られない場合に利用される。
【００５２】
前記トップペ−ジの下欄に矩形のフレ−ム２７が設けられ、該フレ−ム２７にキ−ワ―ド検索用のウィンド２８と検索開始ボタン２９が設けられ、前記ウィンド２８に既知のキ−ワ―ド、例えば電話番号、住所、店名を入力することによって、前記既知情報を含む後述の詳細な検索情報がデ−タ−ベ−ス１９から速やかに得られる。
この場合、前記ウィンド２８に既知情報以外の情報、例えば銀座、ラ−メン、個室、禁煙のキ−ワ―ドを入力して検索することも可能である。
【００５３】
前記都道府県２５を選択すると、当該都道府県２５に関する種々のデ−タが、デ−タ−ベ−ス１９からデ−タ−ベ−スサ−バ−４へ自動転送され、該サ−バ−４に転送されたデ−タに基いて実質的な検索が実行され、検索操作画面５に図４に示す検索ジャンル表３０が表示される。前記ジャンル表３０は検索ジャンルを概念的に大まかに分け、そのカテゴリ−毎に複数の大ジャンル３０ａを示している。
実施形態のジャンル表３０は、ショッピング、飲食、生活、外出、学習、サ−ビス他の６ジャンルに区分され、その大ジャンル３０ａの１つを選択するようにしている。
【００５４】
この場合、具体的な検索対象が不明のときは、各ジャンルの統括名称部を選択するようにしている。例えば、「ショッピング」のジャンルで、「食品・飲料」か「電気製品」または「住まい・生活」の何れか不明のときは、「ショッピング」を選択すると、そのカテゴリ−に属する複数の大ジャンル（お店全般、食品・飲料．．．）３０ａが示され、その大ジャンル３０ａの１を選択すると、小ジャンルの店舗・サ−ビス形態の一覧表が上覧に表示され、そこから目的のものを１つ選択するようにしている。
【００５５】
同様に、例えば前記ジャンル中の「飲食」を選択すると、「飲食」のカテゴリ−に含まれる食事、喫茶・軽食等の大ジャンル毎に、小ジャンルであるレストラン、食堂、ラ−メン、カレ−の店舗・サ−ビス形態の一覧表が表示される。図５は「飲食」の「食事」を選択した検索操作画面５の状況を示している。
前記検索操作画面５は、上欄に小ジャンルの「食事」の店舗・サ−ビス形態の一覧表が掲載され、この下方に検索条件設定用アイコン欄３１が設けられている。
【００５６】
前記検索条件設定用アイコン欄３１は、コモンアイコン欄とプロパ−アイコン欄とが上下に設けられ、このうち上側のコモンアイコン欄に、デ−タ−ベ−ス１９に登録された登録デ−タに共通する共用デ−タである複数のコモンアイコン３２ａ〜３２ｌが配置され、実施形態では店舗やサ−ビス等の被検索対象に共通する一般的な検索条件の複数のアイコンが配置され、下側のプロパ−アイコン欄に、デ−タ−ベ−ス１９に登録されたジャンル固有の登録デ−タである複数のプロパ−アイコン３３ａ〜３３ｌが配置され、実施形態では被検索対象を前記条件と異なった条件で補充検索する、複数のアイコンｌが配置されている。
【００５７】
すなわち、前記コモンアイコン３２ａ〜３２ｌは全てのジャンルに共通して使用され、その１つのジャンルを選択することで、同位置に同内容でコモンアイコン欄に表示され、プロパ−アイコン３３は各ジャンルに応じて個別かつ多数作成され、小ジャンル中の検索メニュを選択することで、同位置のプロパ−アイコン欄に表示される。
前記コモンアイコン３２ａ〜３２ｌは円形で青色に着色され、プロパ−アイコン３３は略Ｌ字形で若草色に着色されていて、それらを外形および色で区別し、かつその内側に当該アイコン３２,３３の内容を表示する有意な図形または記号を記載している。
【００５８】
前記飲食検索画面のコモンアイコン３２は、図５のように互いに相違する複数のコモンアイコン３２ａ〜３２ｌからなり、これらは割引サ−ビス、駐車場、駅から、たばこ、支払い方法、メディア、営業時間、施設・設備、トイレ、子供・ベビ−、グロ−バル、インタ−ネットとに分かれ、これらのコモンアイコン３２ａ〜３２ｌは、当該アイコンのカテゴリ−に含まれる後述の複数のキ−アイコンを有している。
【００５９】
前記各コモンアイコン３２ａ〜３２ｌと、そのキ−アイコンの詳細は図７および図８のようで、コモンアイコン３２ａ〜３２ｌの一つを選択することによって、当該アイコンのカテゴリ−に含まれる前記共用デ−タの詳細な複数のキ−アイコンのデ−タを表示し、該デ−タの一つまたは複数を選択することによって、そのキ−アイコン３２ｄ１〜３２ｄ７をコモンアイコン３２欄の直下に表示可能にしている。
【００６０】
例えばコモンアイコン３２ｄの「たばこ」のキ−アイコンデ−タは図７（ｄ）のようで、該コモンアイコン３２ｄを選択すると、そのキ−アイコン３２ｄ１〜３２ｄ７がコモンアイコン欄の直下に表示され、これらは図９のように前記プロパ−アイコン３３ａ〜３３ｌと同形のＬ字形に形成され、これらをプロパ−アイコン３３ａ〜３３ｖと相違するオレンジ色に着色している。
前記キ−アイコン３２ｄ１〜３２ｄ７は内部に有意な図形または記号が作成され、このキ−アイコン３２ｄ１〜３２ｄ７の一または複数を選択し、これを後述の選択ボックスへ入力可能にしている。
【００６１】
また、別のコモンアイコン３２ａの「割引サ−ビス」のキ−アイコンデ−タは図７（ａ）のようで、該「割引サ−ビス」を選択すると、検索操作画面５は図１０のように、そのキ−アイコン３２ａ１〜３２ａ８がコモンアイコン欄の直下に表示され、これらは前記キ−アイコン３２ｄ１〜３２ｄ７と同形のＬ字形に形成され、その図形をオレンジ色に着色していて、その内部に有意な図形または記号を作成し、このキ−アイコン３２ａ１〜３２ａ８の１または複数を選択し、これを後述の選択ボックスへ入力可能にしている。
【００６２】
図６は前記ジャンル中の「ショッピング」を選択した場合の検索操作画面５で、該画面５の上欄に「ショッピング」のカテゴリ−に含まれる「お店全般」、「食品・飲料」、「電気製品」等の店舗・サ−ビス形態の一覧表が表示され、この下方に検索条件設定用アイコン欄３１が設けられている。
前記アイコン欄３１のキ−アイコン３２ｂ〜３２ｌは、前述の飲食検索画面と共通し、またプロパ−アイコン欄のプロパ−アイコン３３ｎ〜３３ｖは、前述の飲食検索画面のプロパ−アイコン３３ａ〜３３ｌと全て相違している。
【００６３】
前記検索条件設定用アイコン欄３１の中間部に選択ボックス３４が設けられ、該選択ボックス３４は第１順位の優先条件である「絶対条件」と、第２順位の優先条件である「できれば希望」と、検索除外条件である「これは避ける」とに区画され、その入力ボックス３５〜３７に一または複数の前記キ−アイコン３２ｄ１〜３２ｄ７と、プロパ−アイコン３３ａ〜３３ｌと、後述するサブアイコンの所定数を選択し、これらをドラッグアンドドロップして入力可能にしている。
【００６４】
前記「絶対条件」と「できれば希望」、「これは避ける」は、検索条件の優先順位を表わし、このうち「絶対条件」はユ−ザ−の希望が最も強く、かつ優先順位の最も高い検索条件に相当し、「できれば希望」はユ−ザ−の希望が「絶対条件」に次いで強く、かつ優先順位が２番目に高い検索条件に相当し、「これは避ける」はユ−ザ−が希望せず、かつ検索対象からの除外を希望する検索条件に相当する。
【００６５】
前記入力ボックス３５〜３７は同大に形成され、そのそれぞれに前記キ−アイコン３２ａ１〜３２ａ８と、プロパ−アイコン３３ａ〜３３ｗと、後述するサブアイコンの中から合計８個を選択し、それらを入力するようにしている。
そして、前記各アイコンを入力ボックス３５〜３７に入力すると、検索開始ボタン４１の操作を待たずに、選択した小ジャンルにおける検索を開始し、その検索該当件数を選択ボックス３４の欄外の直上端部に表示するようにしている。
したがって、ユ−ザ−は前記検索該当件数によって、検索条件設定の変更の要否をいち早く知り得る。
【００６６】
前記検索操作画面５の下欄に、前述のサブアイコン作成用のキ−ワ−ド入力用ウィンド３８が設けられ、該ウィンド３８の近接位置に前記サブアイコン３９の図形が配置されている。  
前記サブアイコン３９は、前記キ−アイコン３２ｄ１〜３２ｄ７、ないしプロパ−アイコン３３ａ〜３３ｌと同大のＬ字形に形成され、これを前述のアイコン３２,３３と異色の黄色に着色されていて、該図形の内側に前記入力したキ−ワ−ド４０を赤字で入力し、サブアイコン３９を迅速かつ応急的に作成可能にしている。
【００６７】
前記サブアイコン３９は、デ−タ−ベ−ス１９に登録されたアイコンを補完するため、その作成は基本的に、登録されたアイコンと関係しないキ−ワ−ドをウィンド３８に入力することで達成される。
例えば飲食検索メニュ−３０ａに記載されていない、和食メニュ−である「すきやき」や、検索対象の都市名である「川越」を入力し、これを前記出力画像生成手段１４を介し、サブアイコン３９の図形に入力して作成可能にしている。この状況は図１１（ａ）,（ｂ）のようである。
この場合、作成したサブアイコン３９が既にデ−タ−ベ−スに登録されたものであっても、その後の検索に支障はない。
【００６８】
前記サブアイコン３９の作成後、これをドラッグアンドドロップして、前記入力ボックス３５〜３７に入力し、またキ−アイコン３２ｄ１〜３２ｄ７と、プロパ−アイコン３３ａ〜３３ｌとをドラッグアンドドロップして、前記入力ボックス３５〜３７に入力し、これらの検索条件を設定したところで、検索開始ボタン４１を操作し、検索を開始可能にしている。
【００６９】
一方、管理者またはクライエントのデ−タベ−ス１９に対する店舗・サ−ビスの掲載デ−タ−の登録は、管理者またはクライエント側のパソコン２を通じて行われ、その手順は図１９のようである。
先ず、利用規約（図示略）の同意後（管理者の場合は不要）、デ−タ入力画面７に図３と同様なマップが表示され、その都道府県２５を選択することで、登録する店舗・サ−ビスのエリアを選択する。
【００７０】
次に、デ−タ入力画面７に図４と同様な検索対象の大ジャンル表３０が表示され、管理者の店舗・サ−ビスが属する大ジャンル３０ａを選択すると、デ−タ入力画面７に検索対象となる小ジャンルである店舗・サ−ビスの記入欄と、電話番号および郵便番号の記入欄が表示され、これらに登録する店舗・サ−ビスの該当事項を文字入力して、重複登録の有無を確認する。
【００７１】
そして、重複登録のないことを確認後、デ−タ入力画面７に図２０に示す基本デ−タ入力画面が表示され、管理者の店舗・サ−ビスの該当事項を文字入力するとともに、掲載事項の公開の要否をチェックする。
また、コメント欄に管理者の店舗・サ−ビスのテキスト８を文字入力し、その所定箇所に強調タグ９を記して、検索対象として特定可能にしている。これらの検索対象は、何れもデ−タ−ベ−ス１９に入力され、図２の本発明による検索結果に反映させている。
【００７２】
前記基本デ−タの入力後、デ−タ入力画面７に図２１に示すアイコン設定画面６２が表示され、該設定画面６２は図９の検索操作画面と近似し、その上部に店舗・サ−ビス形態の一覧表が表示され、その下方に当該飲食・食事ジャンルに対応する複数のコモンアイコン３２と、そのうちの例えば「たばこ」のコモンアイコン３２ｄを選択した際のキ−アイコン３２ａ〜３２Ｉが表示され、その下方に前記飲食・食事ジャンルに対応する複数のプロパ−アイコン３３ａ〜３３ｉが表示されている。
前記キ−アイコン３２ａ〜３２Ｉと、プロパ−アイコン３３ａ〜３３ｉとの間に登録ボックス６３が設けられ、該登録ボックス６３に前記キ−アイコン３２ａ〜３２Ｉとプロパ−アイコン３３ａ〜３３ｉの所定数をドラッグアンドドロップして入力可能にしている。
【００７３】
前記登録ボックス６３は上下に区画され、その上側ボックス６３ａに図１７，１８の検索結果一覧に表示するアイコンを最大２０個まで入力可能にし、また下側ボックス６３ｂに図１７，１８の検索結果の詳細表示欄に表示するアイコンを所定数入力可能にしている  そして、前記アイコンを入力設定後、当該登録内容を確認して登録可能にしている。
【００７４】
本発明の検索方法は、演算処理装置１０と記憶装置１１を介して図２の検索フロ−に基いて実行され、これはユ−ザ−がネットワ−クのインタ−ネット３を通じて、本検索システムに接続することで開始される。
前記検索システムが起動すると、検索操作画面５に図３に示すトップペ−ジが表示され、このトップペ−ジに表示されたマップの都道府県２５を、店舗・サ−ビスの所在する検索対象エリアとして選択する。
【００７５】
前記都道府県２５を選択すると、当該都道府県２５の店舗・サ−ビスに関するデ−タ−が、これを格納したデ−タ−ベ−ス１９からデ−タ−ベ−スサ−バ−４へ自動転送され、検索操作画面５に図４に示す検索大ジャンル表３０が表示される。
そこで、ユ−ザ−が検索対象ジャンル表３０から所望の大ジャンル３０ａを選択すると、当該ジャンル３０ａに含まれる店舗・サ−ビス形態の小ジャンル一覧が表示され、そこから目的のものを一つ選択する。
【００７６】
例えば前記ジャンル中の「飲食」を選択すると、「飲食」のカテゴリ−に含まれる食事、喫茶・軽食等の大ジャンル毎に、レストラン、食堂、ラ−メン、カレ−の店舗・サ−ビス形態の一覧表が表示される。
図５は「飲食」の「食事」を選択した検索操作画面５の状況を示し、該画面５の上欄に「食事」の小ジャンルの店舗・サ−ビス形態の一覧表が掲載され、この下方に検索条件設定用アイコン欄３１が表示され、それらの間に選択ボックス３４が表示され、下欄にキ−ワ−ド入力用ウィンド３８と、サブアイコン３９と検索開始ボタン４１が表示されている
【００７７】
また、例えば検索対象ジャンル表３０から「ショッピング」を選択すると、検索操作画面５にショッピング検索画面が表示される。
この状況は図６のようで、上欄にショッピングの小ジャンルの店舗・サ−ビス形態の一覧表が掲載され、その下方の検索条件設定用アイコン欄３１に、対応する複数のコモンアイコン３２ｂ〜３２ｌと、複数のプロパ−アイコン３３ｍ〜３３ｖが表示され、それらの間に選択ボックス３４が表示され、下欄にキ−ワ−ド入力用ウィンド３８と、サブアイコン３９と検索開始ボタン４１が表示される。
【００７８】
そこで、図５の検索操作画面５において、ユ−ザ−が店舗・サ−ビス形態の一覧表から小ジャンルである「ファミレス」を選択し、また各コモンアイコン３２ａ〜３２ｉの中から一つのコモンアイコン３２を選択し、該アイコン３２に対応する複数のキ−アイコンを読み出し、かつ該キ−アイコンの中から関心のある一つまたは複数を選択して、これを選択ボックス３４の所定の入力ボックス３５〜３７にドラッグアンドドロップする。
【００７９】
例えばコモンアイコン３２ａ〜３２ｂの中から、「たばこ」のコモンアイコン３２ｄを選択すると、７種類のキ−アイコン３２ｄ１〜３２ｄ７が読み出され、これらが選択ボックス３４の直上に表示される。この状況は図９のようである。
一方、これと別にコモンアイコン３２ａ〜３２ｂの中から、「割引サ−ビス」のコモンアイコン３２ａを選択すると、８種類のキ−アイコン３２ａ１〜３２ａ８が読み出され、これらが選択ボックス３４の直上に表示される。この状況は図１０のようである。
【００８０】
そこで、図９においてキ−アイコン３２ｄ１〜３２ｄ７の中から、最も関心のある一つまたは複数のキ−アイコン３２ｄｍを選択し、これをドラッグアンドドロップして選択ボックス３４の第１優先順位である「絶対条件」の入力ボックス３５に入力する。    
また、次に関心のある一つまたは複数のキ−アイコン３２ｄｎを選択し、これをドラッグアンドドロップして選択ボックス３４の第２優先順位である「できれば希望」の入力ボックス３６に入力する。
【００８１】
次に、検索条件として除外したいキ−アイコン３２ｄｏを選択し、これをドラッグアンドドロップして、選択ボックス３４の検索除外条件である「これは避ける」の入力ボックス３７に入力する。
この場合、各入力ボックス３５〜３７におけるアイコンの優先順位は、左上が最優先で、右下が最も優先順位が低く設定され、この順位で検索結果を表示可能にしている。
【００８２】
一方、図９においてプロパ−アイコン３３ａ〜３３ｌの中から、一つまたは複数のプロパ−アイコン３３ｍを選択し、これをドラッグアンドドロップして選択ボックス３４の「絶対条件」の入力ボックス３５に入力する。    
また、次に関心のある一つまたは複数のプロパ−アイコン３３ｎを選択し、これをドラッグアンドドロップして選択ボックス３４の「できれば希望」の入力ボックス３６に入力する。
【００８３】
更に、検索条件として除外したいキ−アイコン３３ｏを選択し、これをドラッグアンドドロップして選択ボックス３４の「これは避ける」の入力ボックス３７に入力する。
この場合、各入力ボックス３５〜３７におけるアイコンの優先順位は、左上が最優先で、右下が最も優先順位が低く設定され、この順位で検索結果を表示可能にしている。
【００８４】
また、図９の画面に希望するアイコンがなく、かつデ−タベ−ス１９に登録されていない場合、または当該アイコンの登録確認を省略して、速やかに検索したい場合、或いは抽象的ないし不詳なキ−、地名若しくは駅名等の場合、対応するサブアイコン３９を作成して、選択ボックス３４の所定の入力ボックス３５〜３７へ入力する。
【００８５】
前記サブアイコン３９の作成は、前記ウィンド３８に所望のキ−ワ−ド４１、例えば店舗・サ−ビス形態の一覧表に記載されていない和食メニュ−である「すきやき」や、都市ないし駅名である「川越」等を入力し、これを前記出力画像生成手段１４を基に、サブアイコン３９の図形に入力して作成する。この状況は図１１（ａ）,（ｂ）のようである。
【００８６】
前記サブアイコン３９の作成後、これをドラッグアンドドロップして、前記入力ボックス３５〜３７に入力し、前記入力の当否や漏れを確認して、検索条件の設定、つまり図２の検索フロ−の工程３，４を終了する。
こうして設定した検索条件は、飲食検索画面の最下欄に設けたチェックフレ−ム４２に文字で表示され、確認可能である。
ちなみに、図１２の検索操作画面５における検索条件は、埼玉県の「ファミレス」について、「絶対条件」が、川越駅、完全禁煙、駐車場無料、「できれば希望」が、ク−ポン、「これは避ける」が、有名人の店で、設定されている。
【００８７】
また、図１３の検索操作画面５における検索条件は、埼玉県の「レストラン」と「和食・日本料理」の店舗について、「絶対条件」が、すき焼き、川越駅、完全分煙、ク−ポン、タイムサ−ビス、駅から１０分内、駐車場無料、「できれば希望」が、完全禁煙、ＣＭ放送中、雑誌掲載、子供無料、無線ＬＡＮ、クレジットカ−ド、「これは避ける」が、立体駐車場で、設定されている。
この後、前記チェックフレ−ム４２の検索条件の表示を確認したところで、検索開始ボタン４１を操作し、検索を開始する。
【００８８】
この場合、検索条件設定後に検索開始ボタン４１を操作して、検索を開始する代わりに、例えば検索工程３，４において、前述のように各種のアイコンを前記入力ボックス３５〜３７に入力毎に検索を開始し、選択した小ジャンルにおける検索該当件数を選択ボックス３４の欄外の直上端部に表示すれば、最終的な検索を待つことなく検索結果を予測し得、それに応じて検索条件設定の適否をいち早く知り得、現実的かつ合理的な検索を行なえる。
【００８９】
前記検索は、デ−タ−ベ−スサ−バ−４に自動転送されたデ−タを基に、前記入力設定したデ−タを検索条件として、デ−タ−ベ−スサ−バ−４が演算処理して検索する。
これを図１２に示す飲食店舗の検索条件に基いて説明すると、デ−タ−ベ−スサ−バ−４には、前述のように埼玉県の店舗・サ−ビスに関するデ−タが予めデ−タ−ベ−ス１９から自動転送されており、この店舗・サ−ビスのデ−タの中から小ジャンルの「ファミレス」と、前記各検索条件、つまり「絶対条件」の「川越駅」と「完全禁煙」と「駐車場無料」、「できれば希望」の「ク−ポン」と、「これは避ける」の「有名人の店」のうち、１つでも満たす店舗を全て抽出する。これは図２の検索フロ−の工程５に相当する。
この検索結果は図１４のようで、前記条件を満たすファミレスＡ、Ｂ、Ｃ、Ｄ、Ｅと、カレ−店Ｚが抽出され、カレ−店Ｘは前記条件を満たさないので、抽出されない。
【００９０】
次に、前記抽出した店舗デ−タの中から、検索条件の一つである「これは避ける」に入力した「有名人の店」を有する店舗を除外し、この除外した店舗デ−タを検索対象として、検索する。これは図２の検索フロ−の工程６に該当する。
【００９１】
この検索結果は図１４のようで、ファミレスＡ、Ｂ、Ｃ、Ｄは「有名人の店」の条件がないから検索対象になり、一方、ファミレスＥは「有名人の店」の条件を満たすから、検索対象から除外される。また、カレ−店Ｚは「有名人の店」の条件がないから、検索対象になる。
【００９２】
この後、前記検索対象の中から、「絶対条件」に入力した検索条件を満たす店舗デ−タを抽出する。すなわち、ユ−ザ−が選択したジャンルと、「絶対条件」に入力した「川越駅」と、「完全禁煙」と「駐車場無料」の全てを満たす（ＡＮＤ条件）店舗デ−タを、検索候補として検索する。これは図２の検索フロ−の工程７に該当する。
【００９３】
この検索結果は図１５のようで、ファミレスＡ、Ｂ、Ｃは前記条件を満たすから検索候補になり、ファミレスＤは「駐車場無料」の条件を満たさないから、検索候補から除外される。同様にカレ−店Ｚは、ジャンル（ファミレス）と、「川越駅」と、「完全禁煙」と、「駐車場無料」の全てを満たさないから、検索候補から除外される。
【００９４】
前記検索後、検索候補の店舗デ−タ数を計数し、検索候補が零件の場合は、演算処理装置１０は最下位の絶対条件、つまり入力ボックス３５の下段または上段右側に表示されたアイコン３２ｍｎ、３３ｍｎ、３９を１つずつ削り、検索候補が見つかるまで繰り返して自動的に検索し、検索候補を抽出する。これは図２の検索フロ−の工程８に該当する。
このようにすることで、当初の検索条件に近い検索結果を速やかにユ−ザ−に提供し得る。
【００９５】
この場合、検索候補が１件以上ある場合は、前記検索候補の抽出処理を省略し、検索結果を速やかにユ−ザ−に提供する。
一方、絶対条件を全て削っても検索候補がない場合は、検索結果表示画面４３に当該検索条件では該当なしと検索結果を表記する。
【００９６】
次に、図２の検索フロ−の工程７または８の検索候補から、「できれば希望」条件を抽出し、これを検索結果として検索結果表示画面４３に表記する。これは図２の検索フロ−の工程９に該当する。
その際の表記順序は、「できれば希望」の合致件数が多い順に表記欄の左側に表示され、同数であれば有料会員、無料会員、自由登録の順に表示し、同数件の場合は登録日時の早い順に、検索結果表示画面４３に当該店舗を表示する。
【００９７】
この場合、検索結果が一定数を越える場合、その検索結果をそのまま表示するか、検索条件を変えて検索し直すかを選択させ、後者の場合は検索条件を再設定し、前述と同様の要領で検索する。これは図２の検索フロ−の工程１０に該当する。
【００９８】
前記有料会員は、本発明の検索システムの管理者に有料で登録され、検索結果の表示画面に写真等を掲載されて区別化された特典を有するクライエント、無料会員は前記検索システムの管理者に無料で登録された一般の管理者、自由登録者は前記トップペ−ジのユ−ザ−登録欄（図示略）に対する登録者である。
【００９９】
前記「できれば希望」の合致件数の計数は、例えば図１６の例ではファミレスＡ、Ｂ、Ｃの検索候補の中から、「できれば希望」に指定した「ク−ポン」を含む数を集計することで行なう。
この例では、ファミレスＡとファミレスＢが「ク−ポン」を有し、ファミレスＣは「ク−ポン」を有しないから、ファミレスＡとファミレスＢは合致件数が１、ファミレスＣは合致件数が０になる。そして、ファミレスＡとファミレスＢは合致件数１で同数であるから、検索結果の表記順序は登録日時の早いファミレスＡが優先的に表示され、次いでファミレスＢが表示される。
【０１００】
この場合、図１６の例は、「できれば希望」に「ク−ポン」だけが指定されているが、異種の条件を複数指定しても良く、その場合は各指定の合致数を集計し、その合計数の多い順に該当の店舗が表示される。
【０１０１】
図１７は前記検索結果表示画面４３を示し、上部に検索条件を文字表示した検索条件表示フレ−ム４４が設けられ、その直下に検索結果の該当件数を文字表示した検索結果第１表示欄４５が設けられている。
前記検索結果第１表示欄４５の下方に検索結果第２表示欄４６が設けられ、該表示欄４６に検索結果を具体的に表示する一つまたは複数の検索結果表示フレ−ム４７〜４９が設けられ、該表示フレ−ム４７〜４９に該当する店舗・サ−ビスが前記優先順に表示されている。これは図２の検索フロ−の工程１１に該当する。
【０１０２】
実施形態では、検索結果第１表示欄４５に３件の該当結果が表示され、検索結果第２表示欄４６の上段の検索結果表示フレ−ム４７に最優先のファミレスＡが掲載され、中段の検索結果表示フレ−ム４８に次優先のファミレスＢが掲載され、下段の検索結果表示フレ−ム４９にファミレスＣが掲載されている。
前記ファミレスＡ〜Ｃは有料会員に登録され、それらの各フレ−ム４７〜４９の一側端部に、店舗・サ−ビスを広告する店舗内風景または飲食メニュ−の広告写真５０〜５２が掲載されている。
【０１０３】
前記広告写真５０〜５２の近接位置に、ファミレスＡ〜Ｃの所在地、電話番号、営業時間、定休日、最寄り駅名または交通アクセス等の書誌的事項が表示され、またその周辺に「詳細情報を見る」のクリック欄５３〜５５が設けられ、該クリック欄５３〜５５をマウス（図示略）でクリック操作することによって、前記登録ボックス６３ｂに入力した店舗・サ−ビスの詳細を表示可能にしている。
【０１０４】
前記検索結果表示フレ−ム４７〜４９の他側端部に、前記登録ボックス６３ａに入力した当該店舗・サ−ビスに関する複数のプロパ−アイコン３３ｍ、またはキ−アイコン３２ｍｎ若しくはサブアイコン３９ｍが混合して表示され、最大１５個のアイコンを表示可能にしており、それ以上は前記クリック欄５３〜５５のクリック操作を介して表示可能にしている。
【０１０５】
図１８は前記図１３の検索条件に基づく検索結果表示画面４３を示し、検索結果第１表示欄４５に５件の該当結果が表示され、検索結果第２表示欄４６の上段の検索結果表示フレ−ム４７に最優先のレストランＡが掲載され、中段の検索結果表示フレ−ム４８に次優先のすき焼き店Ａが掲載され、下段の検索結果表示フレ−ム４９、５６、５７にレストランＢ，Ｃと、日本料理店Ａが掲載されている。
【０１０６】
このうち、前記レストランＡとすき焼き店Ａは有料会員に登録され、それらの各フレ−ム４７，４８の一側端部に、店舗・サ−ビスを広告する店舗内風景または飲食メニュ−の広告写真５８，５９が掲載されている。
前記広告写真５８，５９の近接位置に、レストランＡとすき焼き店Ａの各所在地、電話番号、営業時間、定休日等の書誌的事項が表示され、またその周辺に「詳細情報を見る」のクリック欄６０，６１が設けられている。
【０１０７】
また、レストランＢ，Ｃと、日本料理店Ａは無料会員に登録され、それらの各フレ−ム４９、５６、５７には広告写真は掲載されておらず、その検索結果表示フレ−ム４９、５６、５７に各所在地、電話番号、営業時間、定休日等の書誌的事項が表示されている。
【０１０８】
このように本発明のデ−タ検索方法は、インタ−ネット３等のネットワ−クを介して、クライエントの提供サ−ビスデ−タを管理者またはクライエントがデ−タベ−ス１９へ入力し、一方、ユ−ザ−は前記提供サ−ビスデ−タに容易かつ速やかにアクセスして検索し得るから、店舗・提供サ−ビスデ−タの入力および更新と、その速やかな利用を図れる。
【０１０９】
そして、管理者またはクライエントが店舗・提供サ−ビスの掲載デ−タをデ−タ−ベ−ス１９へ登録する際、デ−タ−入力画面７に文字入力したテキスト８の強調部分に、括弧またはマ−カ等を付して強調タグ９で指定し、この強調タグ９の指定部のみを検索対象として非強調指定部と区別し、意に反する検索結果を防止している。
【０１１０】
また、管理者またはクライエントが店舗・提供サ−ビスの掲載デ−タを登録する際、デ−タ−ベ−ス１９にジャンルおよび所在地毎に登録された複数のコモンアイコン３２と、キ−アイコン３２ａ〜３２ｍ、プロパ−アイコン３３等をデ−タ−入力画面７に呼び出し、これらを選択してクライエントの店舗・サ−ビスとして登録し得るから、前記アイコンの合理的な利用を図れるとともに、前記登録手続きを正確で容易かつ迅速に行なえる。
【０１１１】
一方、前記デ−タ−ベ−ス１９は、種々のデ−タを少なくとも被検索対象の所在地と、ジャンルおよびクライエントに分けて蓄積し、ユ−ザ−が被検索対象の所在地ないしエリアとジャンルを選択し、それらの条件に該当する登録された情報をデ−タ−ベ−スサ−バ−４に転送し、この後の検索に備える。
【０１１２】
前記デ−タ−ベ−スサ−バ−４は、登録された複数のコモンアイコン３２と、複数のプロパ−アイコン３３とをユ−ザ−の端末装置１に表示し、被検索対象の書誌的事項と特徴的部分から検索対象を大まかに絞り込む。
この後、ユ−ザ−が関心の有るコモンアイコン３２の１つを選択し、その詳細な複数のキ−アイコン３２ａ〜３２ｍを表示し、その１または複数を選択し、かつこれらのアイコンに優先順位を付して検索条件を設定することで、デ−タ−ベ−スサ−バ−４に転送された情報を更に厳密に絞り込んで検索する。
【０１１３】
前記検索条件設定時、前記ユ−ザ−の端末装置１に、キ−ワ−ドを入力してサブアイコン３９を作成し、該サブアイコン３９の１または複数を選択して前記他のアイコン３２ａ〜３２ｍ、３３と共に検索条件を設定し、サブアイコン３９を簡便に作成できるとともに、検索時のアイコンを充実させることによって、所期の検索結果を確実に得られる。この場合、サブアイコン３９と同義のアイコンが既に登録されていても、検索精度や検索作業に支障を来たすことはない。
【０１１４】
前記サブアイコン３９は、登録されたアイコンである前記コモンアイコン３２またはプロパ−アイコン３３、キ−アイコン３２ａ〜３２ｍを補完するから、アイコンによる検索の精度を向上できるとともに、未登録の地名や駅名よる検索に対応し得る。
【０１１５】
前記検索条件は、第１および第２順位の優先条件である「絶対条件」と「できれば希望」と、検索除外条件である「これは避ける」とからなるから、所期の検索結果を合理的」かつ確実に得られるとともに、前記キ−アイコン３２ｍとプロパ−アイコン３３、サブアイコン３９の１または複数を選択してドラッグアンドドロップし、選択ボックス３４の所定スペ−ス３５〜３７に入力するだけで良いから、従来のように入力したアイコンの位置や大きさをマウス操作で調整する、煩雑な操作を解消し得る。
【０１１６】
しかも、入力ボックス３５〜３７に複数のアイコンを緊密に入力できるから、アイコンを離間して配置したり、大きさを変えて配置する従来の検索条件の設定法に比べ、検索結果の信頼性と精度を向上し得る。
【０１１７】
前記検索は、所定のエリアに所在する被検索対象から、選択したジャンルと、各検索条件の何れか一つを満たすデ−タを論理和的に全て抽出する工程を有するから、エリアとジャンルに関係する基礎的なデ−タを多量に収集し得る。
【０１１８】
また、前記検索は、前記デ−タの抽出後、抽出デ−タから前記検索条件の検索除外部のデ−タを除外し、検索対象を抽出する工程を有するから、検索結果になり得る検索対象を前記抽出デ−タから容易に選択し得る。
更に、前記検索は、前記検索対象から、前記第１優先条件の全てを論理積的に満たす検索候補を抽出する工程を有するから、所期の検索結果を確実に得られる。
【０１１９】
前記検索は、前記検索候補が零件の場合、前記第１優先条件の下位から一つずつ順次削除して再度検索し、検索候補を抽出する工程を有するから、当初の検索条件に近い条件で略満足できる検索結果を得られる。
前記第１優先条件の全ての条件について再度検索し、検索候補が零件の場合は、該当件数零件の検索結果を出力するから、検索結果の信頼性を得られる。
【０１２０】
前記検索候補から、前記第２優先条件を満たす検索結果を抽出する工程を有するから、検索結果に多くの該当件数を得られた場合、検索結果に合理的かつ客観的な方法で優先順位を付けることができる。
【０１２１】
そして、前記第２優先条件を満たす合致件数の多い順に、当該検索結果を優先してユ−ザ−の端末装置１に表示し、合理的な方法で検索結果に優先順位を付け、かつその優先順位に信頼性を得られる。
また、ユ−ザ−の端末装置１に、検索条件と当該検索結果の該当件数、該当した被検索対象デ−タの書誌的事項とキ−アイコン３２ａ〜３２ｍまたはプロパ−アイコン３３、若しくはサブアイコン３９または写真を表示するから、必要最小限の情報をコンパクトに表示し得る。
【０１２２】
前記プロパ−アイコン３３と、キ−アイコン３２ａ〜３２ｍと、サブアイコン３９とを同形かつ互いに異色に着色するから、外形によって検索条件設定用のアイコンを視認でき、しかもそれらを色分けして、アイコンの選択および条件設定時の誤りを未然に防止し得る。
また、前記コモンアイコン３２と、プロパ−アイコン３３と、キ−アイコン３２ａ〜３２ｍとサブアイコン３９とを互いに異色に着色するから、アイコンの選択および条件設定時の誤りを未然に防止し得る。
【０１２３】
更に、被検索対象のデ−タの所望位置に、強調タグ９を付してデ−タ−ベ−スサ−バ−４に入力し、当該強調タグ部９に対応するアイコンを作成して登録するから、強調タグ９の指定部のみを検索対象として非強調指定部と区別し、意に反するデ−タ−入力と検索結果を防止するようにしている。
【０１２４】
なお、前述の実施形態は、例えば飲食検索の際、「ラ−メン」、「焼肉」等の小ジャンルを複数選択し得るが、小ジャンルを一つだけ選択することによって、当該小ジャンルにこだわった「スペシャルアイコン」を作成し、これを各種プロパ−アイコン３３の直下に表示し、この「スペシャルアイコン」を選択するようにしても良い。
前記「スペシャルアイコン」は他のアイコンと同形のＬ形に形成され、これを他のアイコンと異色の赤色に表示し、かつ該アイコンの直下にこだわりの内容を文字表記して作成する。
例えば、「ラ−メン」のみを選択した場合、「自家製麺」、「ちゃっちゃ系」、「魚介だし」等の文字を付記し、ラ−メンにこだわった「スペシャルアイコン」を作成する。
【０１２５】
また、前述の実施形態におけるサブアイコン３９の使用頻度をデ−タ−ベ−スサ−バ−４で監視し、使用頻度の高いサブアイコン３９を「よく使われるサブアイコン」として記憶し、これを検索時に他の登録デ−タと一緒にユ−ザ−のパソコン１に自動転送し、ユ−ザ−がいちいち作成する面倒を解消し、速やかに使用し得るようにしても良い。
【０１２６】
図２２乃至図２６は本発明の第２の実施形態を示し、前述の実施形態の構成と対応する構成部分に同一の符号を用いている。
この実施形態は、ユ−ザ−および管理者またはクライエント側のデ−タ−ベ−ス検索用の端末装置として、前述のパソコン１，２の代わりに、携帯電話、ＰＨＳ等のモバイル端末機器を用いている。
【０１２７】
実施形態ではモバイル端末機器として携帯電話を使用し、ユ−ザ−側の携帯電話６４と管理者またはクライエント側の携帯電話６５を、ネットワ−クであるインタ−ネット３に接続している。図中、６６，６７は携帯電話６４，６５のディスプレ−、６６ａ，６７ａは携帯電話６４，６５の操作ボタン、６６ｂ，６７ｂは決定ボタンである。
この場合、ユ−ザ−および管理者またはクライエントの全てをモバイル端末機器で構成する必要はなく、何れか一方がモバイル端末機器であれば良く、その他方を例えばパソコンで構成することも可能である。
【０１２８】
前記第２の実施形態は、前述のコモンアイコン、キ−アイコン、プロパ−アイコン、サブアイコンの代わりに、コモンワ−ド、キ−ワ−ド、プロパ−ワ−ド、フリ−ワ−ドを使用し、これらをディスプレイ６４，６５の各欄に一定数表示し、そのチェック・ボックス６８に決定ボタン６６ｂ，６７ｂを操作してチェックマ−ク６９を入力することにより、当該ワ−ドを選択し検索条件を設定可能にしている。
【０１２９】
このうち、コモンワ−ドは前記コモンアイコン３２ａ〜３２ｌに対応する、「割引サ−ビス」、「駐車場」、「駅から」．．．からなり、キ−ワ−ドは前記図７および図８に示す各キ−アイコンデ−タからなり、プロパ−ワ−ドは前記プロパ−アイコン３３ａ〜３３ｌに対応する、「個室あり」、「お座敷あり」、「お持ち帰り可」．．．等からなり、フリ−ワ−ドはデ−タベ−ス１９に登録されていない各種ワ−ドを補完し、これをフリ−ワ−ドスペ−ス７１に入力するようにしている。
この場合、前述の実施形態のように、ユ−ザ−によるフリ−ワ−ド入力をデ−タ−ベ−スサ−バ−４に記憶させ、高頻度に入力されるフリ−ワ−ドを検索時にユ−ザ−の携帯電話６６に自動転送し、フリ−ワ−ド作成の煩雑を解消し、その速やかな使用を図ることが望ましい。
【０１３０】
ユ−ザ−側の携帯電話６４のディスプレイ６４に、「絶対条件」、「できれば希望」、「これは避ける」の代わりに、「絶対」、「希望」、「避け」に省略して横一列に表示し、それらの各列で前記キ−ワ−ド、プロパ−ワ−ドの対応位置に、同形のチェック・ボックス６８を配置している。
そして、「絶対」、「希望」、「避け」に対応するチェック・ボックス６８にチェックマ−ク６９を入力することによって、該当のキ−ワ−ドまたはプロパ−ワ−ドを選択し、検索条件を設定可能にしている。
【０１３１】
また、前記ディスプレイ６４のプロパ−ワ−ド欄の次に、スペシャルワ−ド欄が設けられ、該スペシャルワ−ド欄に小ジャンルの一つである、例えばラ−メンに関する「こだわりワ−ド」が複数配置され、それらの側方に前述同様に「絶対」、「希望」、「避け」のチェック・ボックス６８が横一列に配置され、所望のチェック・ボックス６８にチェックマ−ク６９を入力することによって、当該「こだわりワ−ド」を選択し、検索条件を設定可能にしている。
【０１３２】
一方、管理者側の携帯電話６５のディスプレイ６７に、コモンワ−ド、キ−ワ−ド、プロパ−ワ−ド、フリ−ワ−ドを表示し、そのチェック・ボックス（図示略）にチェックマ−ク（図示略）を入力することによって、当該ワ−ドを検索対象として選択可能にしている。  
この場合、フリ−ワ−ドの所要部に強調タグ（図示略）を付し、当該部を検索対象に設定可能にしている。
【０１３３】
この実施形態における検索フロ−は図２３のようで、前述の実施形態の検索フロ−と基本的に同様であるが、アイコン入力の代わりに各種のワ−ドを入力し、また８工程目の「検索条件が零になる場合の自動再検索工程」の条件として、絶対条件の下位から一つずつ削除する代わりに、その前工程における検索該当件数の少ない項目を一つずつ削除して、検索候補を得るようにしている。
そして、上記再検索の結果、検索候補が零件になった場合は、「この条件では検索できません。検索条件を変えて下さい。」のメッセ−ジをヂィスプレイ６６の検索出力画面６に表示するようにしている。
【０１３４】
この実施形態による検索システムは、前述の実施形態と同様に検索システムの管理者および／またはクライエントが、前記コモンワ−ドとキ−ワ−ド、プロパ−ワ−ド等を予めデ−タ−ベ−ス１９に登録して置き、この後管理者が店舗・サ−ビスの掲載デ−タを登録し、これをユ−ザ−の検索に供している。
前記管理者またはクライエントによる掲載デ−タ−の登録は、それらの携帯電話６５を通じて行われ、その手順は図２６のようで、その登録フロ−は前述の実施形態の登録フロ−と実質的に同一である。
【０１３５】
この実施形態はアイコン設定工程の代わりに、コモンワ−ドとキ−ワ−ド、プロパ−ワ−ド、スペシャルワ−ドをディスプレイ６６に表示し、それらに対応するチェック・ボックス６８にチェックマ−ク（図示略）を入力し、登録条件を確認して登録ボタン（図示略）を操作すると、前記チェックマ−ク入力部がデ−タ−ベ−ス１９に入力され、管理者による掲載デ−タ−が登録される。図中、７０は後続のワ−ドを画面に表示させるスキップマ−クである。
【０１３６】
次に、前記検索システムを使用してユ−ザ−が検索する場合は、ユ−ザ−側の携帯電話６４を通じて行なわれ、その手順は図２３のようである。
前記検索フロ−は、前述の実施形態における検索フロ−と実質的に同一である。
このうち、８工程目の「検索候補が零になる場合の自動再検索工程」においては、前工程で検索候補が零件になった場合、自動再検索工程の条件として、前工程における検索外該当件数の少ない項目を一つずつ削除して、検索候補を得ている。
前記再検索の結果、検索候補が零件になった場合は、「この条件では検索できません。検索条件を変えて下さい。」のメッセ−ジをディスプレイ６６の検索出力画面６の適宜位置に表示する。
【０１３７】
そして、携帯電話６４をインタ−ネット３に接続すると、デ−タ−ベ−ス１９に格納された蓄積情報がデ−タ−ベ−スサ−バ−４に自動転送され、検索ジャンルの例えば飲食の食事を選択すると、ディスプレイ６６に複数のコモンワ−ドとプロパ−ワ−ドとスペシャルワ−ドの一部と、「絶対」、「希望」、「避け」の各チェック・ボックス６８が表示され、他の後続ワ−ドはスキップマ−ク７０を操作することによって、表示される。
【０１３８】
そこで、コモンワ−ドの一または複数を選択し、そのチェック・ボックス６８にカ−ソルを合わせ、決定ボタン６６ｂを操作してチェックマ−ク６９を入力すると、該コモンワ−ドに属する複数のキ−ワ−ドがディスプレイ６６に表示され、該キ−ワ−ドの一または複数の「絶対」、「希望」、「避け」に対応するチェック・ボックス６８にチェックマ−ク６９を入力して、検索条件を設定する。
この状況は図２４のようで、コモンワ−ドの「駅から」と「駐車場」が選択され、それらのキ−ワ−ドがディスプレイ６６に表示され、それらのチェック・ボックス６８にチェックマ−ク６９を入力して、検索条件を設定している。
【０１３９】
次に、検索する小ジャンルを選択すると、対応するプロパ−ワ−ドがディスプレイ６６に表示され、「絶対」、「希望」、「避け」に対応するチェック・ボックス６８にチェックマ−ク６９を入力して選択する。
一方、前記登録されたコモンワ−ド、キ−ワ−ド、プロパ−ワ−ド、転送されたスペシャルワ−ド以外のワ−ドを使用する場合は、キ−６６ａを操作してフリ−ワ−ドをフリ−ワ−ドスペ−ス７１に入力する。
【０１４０】
こうして検索条件を設定後、デ−タ入力画面下欄の検索ボタン（図示略）を操作すると、前記チェックマ−ク６９に対応する検索条件がデ−タ−ベ−ス１９に入力されて検索が実行される。演算処理装置１０による検索は図２３の通りで、その詳細は前述の実施形態と略同様に行なわれ、その検索結果をディスレイ６６に表示する。
【０１４１】
このようにこの実施形態では、携帯電話等のモバイル端末機器によって、デ−タ−ベ−ス１９に蓄積されたデ−タを検索し得るから、前述のパソコン１，２を使用した検索法に比べ、任意の検索環境で簡便かつ迅速に検索し得る。
【０１４２】
なお、前述の実施形態では店舗・サ−ビス等のジャンルの情報を検索しているが、これに限らず求人情報や、土地、家屋等の売買または賃貸情報、書籍、商品等の検索にも適用することができる。
例えば求人情報の検索として、正社員、契約社員、アルバイト、時給、給与、社会保険、交通費、最寄駅、アクセス、福利厚生、等のアイコンまたは各種ワ−ドを使用する。
【０１４３】
また、土地、家屋等の売買または賃貸情報として、所在地、交通、所要時間、家賃、管理費、敷金、礼金、間取り・面積、種別（アパ−ト）、マンション、鉄骨、木造等のアイコンまたは各種ワ−ドを使用する。
更に、書籍の検索として、分類「文学、解説書、法律、理工系、経済、俳句短歌」、ジャンル「純文学、サスペンス、歴史・史実」、内容「ほのぼの、ドキドキ、挿絵が豊富」等のアイコンまたは各種ワ−ドを使用する。
【０１４４】
なお、前述の実施形態では検索条件の入力手段として、ＧＵＩ（グラフィカル・ユ−ザ−・インタ−フェ−ス：Ｇｒａｐｈｉｃａｌ  Ｕｓｅｒ  Ｉｎｔｅｒｆａｃｅ）におけるアイコンや、ボタンの一種であるチェック・ボックスを用いているが、キ−ボ−ドからコマンド入力するＣＵＩ（キャラクタ・ユ−ザ−・インタ−フェ−ス）におけるタイピングしたキ−ボ−ドを用いても良く、更にアイコンをドラッグアンドドロップし、チェック・ボックスにチェックマ−クを入力し、キ−ボ−ドを操作入力する代わりに、これらに手指やペンを接触して入力する方法を用いることも可能である。
【産業上の利用可能性】
【０１４５】
このように本発明のデ−タ検索方法は、インタ−ネットやイントラネット（ｉｎｔｒａｎｅｔ）等のネットワ−クと、パソコンまたは携帯電話、ＰＨＳ等のモバイル端末機器を用いて、種々の検索対象に対し検索内容と検索条件を優先順位を付けて木目細かに設定し、所期の検索結果を正確かつ迅速に得られるとともに、検索の信頼性を得られるから、例えば各種店舗やサ−ビス、求人情報、土地、家屋等の売買または賃貸情報、書籍、商品等の検索に好適である。
【符号の説明】
【０１４６】
１                  端末装置（ユ−ザ−）
２                  端末装置（管理者）
３                  ネットワ−ク（インタ−ネット）
４                  デ−タ−ベ−スサ−バ−
５                  検索操作画面
９                  強調タグ
１９                デ−タ−ベ−ス              
２９                検索対象ジャンル表
【０１４７】
３２ａ〜３２ｌ      コモンアイコン
３２ａ１〜３２ａ８  キ−アイコン（割引サ−ビス）
３２ｄ１〜３２ｄ８  キ−アイコン（たばこ）
３３ａ〜３３ｗ      プロパ−アイコン
３９                サブアイコン
４０                キ−ワ−ド
６４                モバイル端末機器（ユ−ザ−）
【０１４８】
６５                モバイル端末機器（管理者）
６８                チェックボックス
６９                チェックマ−ク
【図１】
0005484040.tif 000002
【図２】
0005484040.tif 000003
【図３】
0005484040.tif 000004
【図４】
0005484040.tif 000005
【図５】
0005484040.tif 000006
【図６】
0005484040.tif 000007
【図７】
0005484040.tif 000008
【図８】
0005484040.tif 000009
【図９】
0005484040.tif 000010
【図１０】
0005484040.tif 000011
【図１１】
0005484040.tif 000012
【図１２】
0005484040.tif 000013
【図１３】
0005484040.tif 000014
【図１４】
0005484040.tif 000015
【図１５】
0005484040.tif 000016
【図１６】
0005484040.tif 000017
【図１７】
0005484040.tif 000018
【図１８】
0005484040.tif 000019
【図１９】
0005484040.tif 000020
【図２０】
0005484040.tif 000021
【図２１】
0005484040.tif 000022
【図２２】
0005484040.tif 000023
【図２３】
0005484040.tif 000024
【図２４】
0005484040.tif 000025
【図２５】
0005484040.tif 000026
【図２６】
0005484040.tif 000027